(57)【要約】【課題】シンプルに操作でき、高いセキュリティを確保できる入金機管理システムを提供することを目的とする。【解決手段】本発明の入金機管理システム４００において、入金機１は、二次元コードＱＲを読み取り可能な第１コード読取装置１５を有し、携帯端末３は、表示装置３２を有し、管理サーバ２は、ユーザからの解錠指示を受け付けると、解錠指示毎に、表示装置３２に対して二次元コードＱＲを表示させるための情報ＱＲｉを携帯端末３に送信し、同時に、第１認証コードＣＤ１を入金機１に送信し、入金機１は、第１コード読取装置１５から読み取られた二次元コードＱＲと、第１認証コードＣＤ１との第１相互認証ができた場合、貨幣収納部Ｓを解錠状態にする制御装置１０を有する。【選択図】  図１
2019215653.tif 000002
【特許請求の範囲】
【請求項１】
貨幣収納部を有する入金機と、前記入金機にネットワークを介して接続された管理サーバと、前記管理サーバに前記ネットワークを介して接続された携帯端末とを備えた入金機管理システムにおいて、
前記入金機は、二次元コードを読み取り可能な第１コード読取装置を有し、
前記携帯端末は、表示装置を有し、
前記管理サーバは、ユーザからの解錠指示を受け付けると、前記解錠指示の度に、
前記表示装置に対して二次元コードを表示させるための情報を前記携帯端末に送信し、
同時に、第１認証コードを前記入金機に送信し、
前記入金機は、前記第１コード読取装置から読み取られた二次元コードと、第１認証コードとの第１相互認証ができた場合、前記貨幣収納部を解錠状態にする制御装置を有する
ことを特徴とする入金機管理システム。
【請求項２】
前記制御装置は、前記第１相互認証ができた場合、前記携帯端末からの指令による前記制御装置に記憶されたデータ又はプログラムの更新を許可する
ことを特徴とする請求項１に記載の入金機管理システム。
【請求項３】
前記入金機は、前記第１相互認証ができた場合、前記携帯端末との近距離無線通信を可能にする
ことを特徴とする請求項１又は請求項２に記載の入金機管理システム。
【請求項４】
前記入金機は、前記第１相互認証により解錠可能な金庫扉と、前記第１相互認証とは異なる第２相互認証により解錠可能なメンテナンス扉と、を備えている
ことを特徴とする請求項１から請求項３のいずれか１項に記載の入金機管理システム。
【請求項５】
前記制御装置は、前記第１相互認証ができた場合、前記管理サーバに第１相互認証情報を送信する
ことを特徴とする請求項１から請求項４のいずれか１項に記載の入金機管理システム。
【請求項６】
前記貨幣収納部は、着脱自在な貨幣収納箱を有し、
前記貨幣収納箱は、前記管理サーバに記憶された第３認証コードとの第３相互認証が可能な箱固有コードが付されており、
前記入金機管理システムは、
前記貨幣収納箱がセットされた状態で前記箱固有コードを読み取り可能な箱固有コード読取装置を有する運搬庫を備えており、
前記運搬庫は、前記第３相互認証ができた場合、前記管理サーバに第３相互認証情報を送信する
ことを特徴とする請求項５に記載の入金機管理システム。
【請求項７】
前記管理サーバは、
前記第１相互認証情報の受信後、閾時間以内に前記第３相互認証情報を受信しない場合、異常として検出する
ことを特徴とする請求項６に記載の入金機管理システム。
【請求項８】
前記入金機は、前記貨幣収納部に、前記貨幣収納箱がセットされた状態で前記箱固有コードを読み取り可能な第２コード読取装置を備え、
前記入金機は、前記貨幣収納部に、前記貨幣収納箱がセットされた時点で、前記管理サーバに前記箱固有コードを送信する
ことを特徴とする請求項６又は請求項７に記載の入金機管理システム。
【発明の詳細な説明】
【技術分野】
【０００１】
本発明は、入金機管理システムに関するものである。
【背景技術】
【０００２】
従来、本体に対して着脱可能な貨幣カセットと、貨幣カセットの取り出しを禁止又は許容する施錠部と、施錠部の動作を制御する制御部と、を備えた入金機がある（特許文献１参照）。
【先行技術文献】
【特許文献】
【０００３】
【特許文献１】特開平６−２６６９６３号公報
【発明の概要】
【発明が解決しようとする課題】
【０００４】
しかしながら、従来の入金機からユーザ（警備員等）が貨幣カセットを取り出すためには、まず、物理キーである警備員用キーによって金庫取出キースイッチをＯＮし、その後、通信部と電子手帳とを接続してデータ回収を行って、制御部に施錠部を解錠させなければならず、操作性及びセキュリティに改善の余地があった。
本発明は、上記事情に鑑みてなされたものであり、シンプルに操作でき、高いセキュリティを確保できる入金機管理システムを提供することを目的とする。
【課題を解決するための手段】
【０００５】
上記目的を達成するために、以下の構成によって把握される。
（１）本発明の入金機管理システムは、貨幣収納部を有する入金機と、前記入金機にネットワークを介して接続された管理サーバと、前記管理サーバに前記ネットワークを介して接続された携帯端末とを備えた入金機管理システムにおいて、前記入金機は、二次元コードを読み取り可能な第１コード読取装置を有し、前記携帯端末は、表示装置を有し、前記管理サーバは、ユーザからの解錠指示を受け付けると、前記解錠指示の度に、前記表示装置に対して二次元コードを表示させるための情報を前記携帯端末に送信し、同時に、第１認証コードを前記入金機に送信し、前記入金機は、前記第１コード読取装置から読み取られた二次元コードと、第１認証コードとの第１相互認証ができた場合、前記貨幣収納部を解錠状態にする制御装置を有する。
（２）上記（１）の構成において、前記制御装置は、前記第１相互認証ができた場合、前記携帯端末からの指令による前記制御装置に記憶されたデータ又はプログラムの更新を許可する。
（３）上記（１）又は（２）の構成において、前記入金機は、前記第１相互認証ができた場合、前記携帯端末との近距離無線通信を可能にする。
（４）上記（１）から（３）のいずれかの構成において、前記入金機は、前記第１相互認証により解錠可能な金庫扉と、前記第１相互認証とは異なる第２相互認証により解錠可能なメンテナンス扉と、を備えている。
（５）上記（１）から（４）のいずれかの構成において、前記制御装置は、前記第１相互認証ができた場合、前記管理サーバに第１相互認証情報を送信する。
（６）上記（５）の構成において、前記貨幣収納部は、着脱自在な貨幣収納箱を有し、前記貨幣収納箱は、前記管理サーバに記憶された第３認証コードとの第３相互認証が可能な箱固有コードが付されており、前記入金機管理システムは、前記貨幣収納箱がセットされた状態で前記箱固有コードを読み取り可能な箱固有コード読取装置を有する運搬庫を備えており、前記運搬庫は、前記第３相互認証ができた場合、前記管理サーバに第３相互認証情報を送信する。
（７）上記（６）の構成において、前記管理サーバは、前記第１相互認証情報の受信後、閾時間以内に前記第３相互認証情報を受信しない場合、異常として検出する。
（８）上記（６）又は（７）の構成において、前記入金機は、前記貨幣収納部に、前記貨幣収納箱がセットされた状態で前記箱固有コードを読み取り可能な第２コード読取装置を備え、前記入金機は、前記貨幣収納部に、前記貨幣収納箱がセットされた時点で、前記管理サーバに前記箱固有コードを送信する。
【発明の効果】
【０００６】
本発明によれば、シンプルに操作でき、高いセキュリティを確保できる入金機管理システムを提供できる。
【図面の簡単な説明】
【０００７】
【図１】本実施形態に係る入金機管理システムの構成図である。
【図２】本実施形態に係る入金機管理システムのブロック図である
【図３】本実施形態に係る入金機の制御装置による解錠に関する制御処理手順を示すフローチャートである。
【図４】本実施形態に係る管理サーバの制御装置による解錠に関する制御処理手順を示すフローチャートである。
【図５】本実施形態に係る携帯端末の制御装置による解錠に関する制御処理手順を示すフローチャートである。
【図６】本実施形態に係る運搬庫への貨幣収納箱のセットに関する制御処理手順を示すフローチャートである。
【図７】本実施形態に係る管理サーバの制御装置による報知に関する制御処理手順を示すフローチャートである。
【図８】本実施形態に係る入金機への貨幣収納箱のセットに関する制御処理手順を示すフローチャートである。
【発明を実施するための形態】
【０００８】
（実施形態）
以下、図面を参照して本発明を実施するための形態（以下、実施形態）について詳細に説明する。なお、実施形態の説明の全体を通して同じ要素には同じ番号又は符号を付している。なお、以下、特に説明のない限り、貨幣は、紙幣及び硬貨の両方を含む概念を意味する。
【０００９】
図１は、本実施形態に係る入金機管理システム４００の構成図である。図２は、本実施形態に係る入金機管理システム４００のブロック図である。
【００１０】
図１に示すように、入金機管理システム４００は、貨幣収納部Ｓを有する入金機１と、管理サーバ２と、携帯端末３と、を備えている。入金機１と、管理サーバ２と、携帯端末３とは、インターネット等のネットワークＮＥＴを介して、互いに通信可能に接続されている。
また、入金機管理システム４００は、ネットワークＮＥＴに接続された運搬庫４を有している。
なお、入金機管理システム４００は、入金機１、管理サーバ２、携帯端末３、運搬庫４の他に、例えば、管理サーバ２の管理者が所有する端末等、ネットワークＮＥＴに接続された他の端末を、適宜有してもよい。
【００１１】
（管理サーバ２）
管理サーバ２は、通常、入金機１が設置されている場所（例えば、小売店の店舗）を基準とする遠隔地（例えば、銀行）に設置されている。管理サーバ２は、ネットワークＮＥＴに接続可能な管理サーバ通信装置２１を有している。管理サーバ２は、ＣＰＵ及びメモリ等を含む制御装置２０を有している。管理サーバ２は、認証コードＣＤの記憶が可能となっている。なお、管理サーバ２は、通常、管理サーバ２の管理者によって管理されている。
【００１２】
（携帯端末３）
携帯端末３は、例えば、いわゆるスマートフォンであり、少なくとも、ＱＲコード（登録商標）等の二次元コードＱＲを表示可能な表示装置３２を有している。表示装置３２は、例えば、有機ＥＬディスプレイ、液晶ディスプレイ等である。なお、二次元コードＱＲは、ユーザが入金機１の機能（トリガボタンＴｒ）を利用する度に、管理サーバ２から時限的に発行（送信）される。また、携帯端末３は、ネットワークＮＥＴに接続可能な携帯端末通信装置３１を有している。なお、携帯端末３の携帯端末通信装置３１は、入金機１に対してブルートゥース（登録商標）等の無線通信を可能にする無線通信装置（不図示）を有していてもよい。携帯端末３は、ＣＰＵ及びメモリ等を含む制御装置３０を有している。
【００１３】
（運搬庫４）
運搬庫４は、回収された貨幣収納箱１１を運搬する金庫であり、例えば、車両の荷台に設置された金庫である。運搬庫４は、ネットワークＮＥＴに接続可能な運搬庫通信装置４１と、貨幣収納箱１１が運搬庫４にセットされた状態で貨幣収納箱１１に付された箱固有コードＢＣを読み取り可能な箱固有コード読取装置４２と、ＣＰＵ及びメモリ等を含む制御装置４０と、を有している。
【００１４】
（入金機１）
入金機１は、通常、管理サーバ２が設置されている場所を基準とする遠隔地（例えば、小売店の店舗）に設置されている。
【００１５】
入金機１は、貨幣を収納する貨幣収納部Ｓを備えている。入金機１は、貨幣収納部Ｓに、着脱自在な貨幣収納箱１１を有している。入金機１は、二次元コードＱＲを読み取り可能な第１コード読取装置１５を有している。入金機１は、入金装置１２、ロック装置１３、出力装置１４、ユーザ情報ＵＩＤの登録及び認証コードＣＤの記憶が可能な記憶装置１６、入金機通信装置１８、第１コード読取装置１５を起動するトリガボタンＴｒと、を有している。
【００１６】
また、入金機１は、第１相互認証により解錠可能な金庫扉１７Ａと、第１相互認証とは異なる第２相互認証により解錠可能なメンテナンス扉１７Ｂと、を備えている。これにより、例えば、入金機１の貨幣収納箱１１を回収する警送会社等の回収権限者となる回収員は金庫扉１７Ａを解錠できるがメンテナンス扉１７Ｂを解錠できないようにし、入金機１を設置している店舗の店員等の入金権限者は、金庫扉１７Ａは解錠できないがメンテナンス扉１７Ｂは解錠できるようにする等、ユーザが有する権限に応じて、解錠可能な扉を分けることができる。なお、第２相互認証は、第１コード読取装置１５によって読み取られた二次元コードＱＲと記憶装置１６に登録されたユーザ情報ＵＩＤとの認証であってもよく、第１コード読取装置１５によって読み取られた二次元コードＱＲと、管理サーバ２に記憶された第２認証コードＣＤ２との認証であってもよく、メンテナンス扉１７Ｂに設けられた錠と、その錠に対応する物理キー（鍵）との認証であってもよい。なお、第１コード読取装置１５によって読み取られた二次元コードＱＲと、管理サーバ２に記憶された第２認証コードＣＤ２との第２相互認証による場合、第２相互認証情報ＭＡ２ｉを管理サーバ２に送信してもよい。
【００１７】
さらに、入金機１は、貨幣収納部Ｓに貨幣収納箱１１がセットされた状態で、貨幣収納箱１１に付された、箱固有コードＢＣを読み取り可能な第２コード読取装置１００を有している。
【００１８】
貨幣収納箱１１は、貨幣を収納するものであり、内部に貨幣の収納空間を有する箱状のものである。貨幣収納箱１１は、内部にある貨幣の収納空間が、入金装置１２から搬送される貨幣の搬送路に対して、連通可能になっている。貨幣収納箱１１は、入金機１に設けられた金庫扉１７Ａを開けることにより、入金機１の内部から取り出したり、装着したりできるように、入金機１の内部に収められている。すなわち、貨幣収納箱１１は、入金機１の貨幣収納部Ｓに対して着脱自在になっている。なお、貨幣収納箱１１は、セキュリティを更に厳重にするため、それ自体が物理キー等によって施錠及び解錠できるようになっていてもよい。
【００１９】
貨幣収納箱１１は、管理サーバ２に記憶された第３認証コードＣＤ３との第３相互認証が可能な箱固有コードＢＣが付されている。具体的には、例えば、貨幣収納箱１１の表面に、箱固有コードＢＣが印刷されたラベルが接着等の適宜の手段によって固定されている。なお、箱固有コードＢＣは、ＱＲコード等の二次元コードＱＲであっても、バーコード等の一次元コードであってもよい。
【００２０】
入金装置１２は、入金機１の前面に設けられた貨幣挿入口から挿入された貨幣を貨幣収納箱１１まで搬送するものである。入金装置１２は、貨幣挿入口から貨幣収納箱１１までの搬送路上に、適宜、貨幣の種類（金額）を識別する貨幣識別装置（不図示）を有している。
【００２１】
ロック装置１３は、貨幣収納箱１１を入金機１の内部空間に収めた状態で金庫扉１７Ａを解錠する解錠状態と、金庫扉１７Ａを施錠する施錠状態とで切換可能なロック機能を有している。
【００２２】
出力装置１４は、記憶装置１６に記憶されたログ情報及びログ情報に基づく演算結果等を出力するものである。出力装置１４は、例えば、入金機１の前面に設けられたディスプレイであってよい。なお、出力装置１４は、ログ情報等を印字可能なプリンタ、ログ情報等を音声出力するスピーカ等であってもよい。
ログ情報は、例えば、入金機１が、経時的にどのように動作したかに関する情報、言い換えると、誰が、どの被制御装置（入金装置１２、ロック装置１３等）を、いつ、どのように動作させたかに関する情報である。ログ情報は、例えば、入金額、入金時刻及び入金者のコード情報等の入金履歴、解錠・施錠時刻及び解錠・施錠者のコード情報等の回収履歴、並びに、ログ情報の参照時刻、ログ情報の参照者のコード情報等の参照履歴等である。
【００２３】
第１コード読取装置１５は、例えば、携帯端末３の表示装置３２等に表示された、ＱＲコード等の二次元コードＱＲ又はバーコード等の一次元コードを読み取り可能な装置である。第１コード読取装置１５は、二次元コードＱＲ等を読み取りやすくするため、入金機１の前面に設けられている。
【００２４】
記憶装置１６は、認証コードＣＤ、ユーザ情報ＵＩＤ、ログ情報等を記憶するものである。記憶装置１６は、制御装置１０を駆動する制御プログラムを記憶している。
【００２５】
金庫扉１７Ａは、貨幣収納箱１１が収容される入金機１の内部空間の開口部に対して開状態と閉状態との間で揺動可能な扉である。金庫扉１７Ａは、ロック装置１３によって、施錠状態又は解錠状態に切換可能になっている。
【００２６】
メンテナンス扉１７Ｂは、入金機１の内部機構（不図示）を露出させて、例えば、紙幣詰まりの除去のためのユーザのアクセスを可能にするものであり、開状態と閉状態との間で揺動可能な扉である。メンテナンス扉１７Ｂは、物理キーによって解錠状態又は施錠状態に切換可能になっていてもよい。
【００２７】
入金機通信装置１８は、有線又は無線の各種通信規格により、入金機１からのログ情報等の情報を、ネットワークＮＥＴを介して管理サーバ２又は携帯端末３に送信し、それらからの情報の受信を可能にするものである。
【００２８】
トリガボタンＴｒは、接触型又は非接触型の適宜のスイッチであり、主に、第１コード読取装置１５を起動し、管理サーバ２に対して第１認証コードＣＤ１の送信を要求するものである。
【００２９】
第２コード読取装置１００は、貨幣収納部Ｓに貨幣収納箱１１がセットされた状態で、貨幣収納箱１１に付された、箱固有コードＢＣを読み取り可能な装置である。箱固有コードＢＣは、ＱＲコード等の二次元コードＱＲ又はバーコード等の一次元コードであってよい。第２コード読取装置１００は、貨幣収納部Ｓに設けられており、貨幣収納部Ｓに貨幣収納箱１１がセットされた状態で、箱固有コードＢＣと向かい合うように配置されている。
【００３０】
（管理サーバ２の制御装置２０）
図２に示すように、管理サーバ２の制御装置２０は、管理サーバ通信装置２１を制御する管理サーバ通信制御部２２１を備えている。管理サーバ通信装置２１はネットワークＮＥＴに接続されており、ネットワークＮＥＴに接続された、入金機１、携帯端末３及び運搬庫４に対して情報の送受信を行う。なお、制御装置２０は、適宜、ＣＰＵ及びメモリ等（不図示）を有している。
【００３１】
また、管理サーバ２は、第１相互認証情報ＭＡ１ｉの受信後、閾時間ｔｔｈ以内に第３相互認証情報ＭＡ３ｉを受信しない場合、異常として検出する。これにより、管理サーバ２の管理者は、盗難等による、入金機１から回収された貨幣収納箱１１が閾時間ｔｔｈ以内に運搬庫４に移されなかったことを認識できるので、高いセキュリティを確保できる。なお、異常を検出した場合、管理サーバ２は、検出結果を、適宜、例えば、管理サーバ２の管理者、警備会社等に対して、表示、通知等によって報知してもよい。これにより、例えば、回収員を装った者が貨幣収納箱１１を持ち去ろうとしても、早期に異常がわかるので、早期発見が可能になる。
【００３２】
（携帯端末３の制御装置３０）
携帯端末３の制御装置３０は、携帯端末通信装置３１を制御する携帯端末通信制御部３３１を備えている。携帯端末通信装置３１はネットワークＮＥＴに接続されており、ネットワークＮＥＴに接続された、入金機１、管理サーバ２及び運搬庫４に対して情報の送受信を行う。また、制御装置３０は、表示装置３２を制御する表示制御部３３２を備えている。なお、制御装置３０は、適宜、ＣＰＵ及びメモリ等（不図示）を有している。
【００３３】
（運搬庫４の制御装置４０）
運搬庫４の制御装置４０は、運搬庫通信装置４１を制御する運搬庫通信制御部４４１を備えている。運搬庫通信装置４１はネットワークＮＥＴに接続されており、ネットワークＮＥＴに接続された、入金機１、管理サーバ２及び携帯端末３に対して情報の送受信を行う。また、制御装置４０は、箱固有コード読取装置４２を制御する表示制御部４４２を備えている。なお、制御装置４０は、適宜、ＣＰＵ及びメモリ等（不図示）を有している。
【００３４】
運搬庫４の制御装置４０は、第３相互認証ができた場合、管理サーバ２に第３相互認証情報ＭＡ３ｉを送信する。これにより、管理サーバ２の管理者は、入金機１から回収された貨幣収納箱１１が運搬庫４に移された履歴を確認できるので、高いセキュリティを確保できる。
【００３５】
（入金機１の制御装置１０）
以下、入金機１の制御装置１０について詳細に説明する。
制御装置１０は、第１コード読取装置１５から読み取られた二次元コードＱＲと、第１認証コードＣＤ１との第１相互認証ができた場合、貨幣収納部Ｓを解錠する。
具体的には、制御装置１０は、あらかじめ記憶部１１６に記憶された制御プログラムにより、第１コード読取装置１５から読み取られた二次元コードＱＲを復号したデータ（文字列等）と、管理サーバ２から送信された第１認証コードＣＤ１とを比較し、それらが一致した場合に、ロック装置１３を制御して、金庫扉１７Ａを解錠状態にする。
したがって、ユーザは、入金機１の第１コード読取装置１５によって二次元コードＱＲを読み取らせるというシンプルな操作で、貨幣収納部Ｓを解錠状態にし、貨幣収納箱１１を回収できる。また、物理キーを使用することなく貨幣収納箱１１を回収できるので、物理キーの管理が不要となり、高いセキュリティを確保できる。
【００３６】
制御装置１０は、第１相互認証ができた場合、携帯端末３からの指令による制御装置１０に記憶されたデータ又はプログラムの更新を許可する。これにより、ユーザは、入金機１のインターフェースを操作することなく、携帯端末３を用いて簡単に入金機１のデータを送受信したり、入金機１の機能を変更したりできる。
【００３７】
制御装置１０は、第１相互認証ができた場合、携帯端末３との近距離無線通信を可能にする。具体的には、制御装置１０の近距離無線通信部１１９は、近距離無線通信装置１９を制御し、近距離無線通信装置１９と携帯端末３の携帯端末通信装置３１との間でデータを送受信可能にする。
これにより、ユーザは、入金機１のインターフェースを操作することなく、携帯端末３を用いてより簡単に入金機１のデータを受信したり、入金機１の機能を変更したりできる。例えば、回収員は、携帯端末３によって、貨幣収納箱１１に収納された貨幣総額に相当する入金総額を含むログ情報を受信して読み取ることができる。よって、貨幣収納箱１１に収納された実際の貨幣総額と、ログ情報による入金総額を突き合わせて確認できるので、データの整合性を検証でき、データの改ざんを予防できる。
【００３８】
制御装置１０は、第１相互認証ができた場合、管理サーバ２に第１相互認証情報ＭＡ１ｉを送信する。これにより、管理サーバ２の管理者は、金庫扉１７Ａが解錠状態又は施錠状態にされた履歴を確認できるので、高いセキュリティを確保できる。
【００３９】
制御装置１０は、貨幣収納部Ｓに、貨幣収納箱１１がセットされた時点で、管理サーバ２に箱固有コードＢＣを送信する。これにより、管理サーバ２の管理者は、貨幣収納部Ｓに、貨幣収納箱１１がセットされた履歴を確認できるので、高いセキュリティを確保できる。なお、制御装置１０により、箱固有コードＢＣと管理サーバ２から送信された第４認証コードＣＤ４とを認証する第４相互認証をして、第４相互認証情報ＭＡ４ｉを管理サーバ２に送信するようにしてもよい。これにより、入金機１に、予定した貨幣収納箱１１がセットされたこと又はされなかったことに関する第４相互認証情報ＭＡ４ｉが管理サーバ２に記憶され、その結果を入金機１、携帯端末３、管理サーバ２の管理者等に報知できるので、より高いセキュリティを確保できる。
【００４０】
詳細には、図２に示すように、入金機１の制御装置１０は、入金装置１２を制御する入金制御部１１２と、ロック装置１３を制御するロック制御部１１３と、出力装置１４を制御する出力制御部１１４と、第１コード読取装置１５を制御する第１コード読取制御部１１５と、記憶装置１６（不図示）を制御する記憶部１１６と、入金機通信装置１８を制御する入金機通信部１１８と、近距離無線通信装置１９を制御する近距離無線通信部１１９と、第２コード読取装置１００を制御する第２コード読取制御部１１０と、を有している。
なお、制御装置１０は、適宜、ＣＰＵ及びメモリ等（不図示）を有している。
【００４１】
記憶部１１６は、入金権限を有するユーザ（例えば、店舗の店員）のユーザ情報ＵＩＤ等を記憶する。また、記憶部１１６は、制御装置１０を駆動する制御プログラムを記憶している。
【００４２】
（ロック装置１３の解錠及び施錠に関する制御処理手順）
次に、図３から図５を用いて、入金機管理システム４００によるロック装置１３の解錠及び施錠に関する制御処理手順を説明する。
図３は、本実施形態に係る入金機１の制御装置１０による解錠に関する制御処理手順を示すフローチャートである。図４は、本実施形態に係る管理サーバ２の制御装置２０による解錠に関する制御処理手順を示すフローチャートである。図５は、本実施形態に係る携帯端末３の制御装置３０による解錠に関する制御処理手順を示すフローチャートである。
【００４３】
はじめに、入金機１の第１コード読取装置１５は停止状態になっており、入金機１のロック装置１３は施錠状態になっている。すなわち、金庫扉１７Ａはロック装置１３により施錠されている。
【００４４】
図３に示すように、入金機１の制御装置１０は、入金機１に電源（不図示）からの電力が投入されることに伴い、起動する（ＳＴＡＲＴ）。
図４に示すように、管理サーバ２の制御装置２０は、管理サーバ２に電源（不図示）からの電力が投入されることに伴い、起動する（ＳＴＡＲＴ）。
図５に示すように、携帯端末３の制御装置３０は、携帯端末３に電源（不図示）からの電力が投入されることに伴い、起動する（ＳＴＡＲＴ）。なお、制御装置３０は、あらかじめインストールされたアプリケーションを介したユーザからの指示によって起動してもよい。
【００４５】
図３に示すように、入金機１の制御装置１０は、入金機１に設けられたトリガボタンＴｒが押されるまで待機する（ステップＳ１１においてＮＯ）。
そして、制御装置１０は、トリガボタンＴｒが押されると（ステップＳ１１においてＹＥＳ）、第１コード読取装置１５を起動する（ステップＳ１２）。なお、適宜、トリガボタンＴｒが押されてから所定の時間が経過した場合に第１コード読取装置１５による読み取り動作を中止するタイマを作動する。
【００４６】
制御装置１０は、第１コード読取装置１５を起動することに伴い、管理サーバ２に対して第１認証コードＣＤ１を要求する（ステップＳ１３）。
【００４７】
一方、図４に示すように、管理サーバ２の制御装置２０は、入金機１から第１認証コードＣＤ１が要求されるまで待機する（ステップＳ２１においてＮＯ）。
【００４８】
管理サーバ２の制御装置２０は、入金機１から第１認証コードＣＤ１を要求されると（ステップＳ２１においてＹＥＳ）、第１認証コードＣＤ１を入金機１に送信する（ステップＳ２２）。この際、入金機１から第１認証コードＣＤ１を要求されてから所定の時間（例えば、１分間）が経過した場合、その所定の時間が経過する度に、直前に送信した認証コードＣＤとは異なる認証コードＣＤを入金機１に送信してもよい。
【００４９】
続いて、管理サーバ２の制御装置２０は、携帯端末３の表示装置３２に二次元コードＱＲを表示させるための情報ＱＲｉを携帯端末３に送信する（ステップＳ２３）。なお、携帯端末３の表示装置３２に二次元コードＱＲを表示させるための情報ＱＲｉとしては、例えば、二次元コードＱＲの画像そのものであってよく、携帯端末３にあらかじめインストールされた専用アプリによって二次元コードＱＲに変換可能なソースコードであってよく、二次元コードＱＲの画像が保存されているＵＲＬ等であってもよい。
そして、管理サーバ２の制御装置２０は、情報ＱＲｉの携帯端末３への送信を終えると、ロック装置１３の解錠に関する制御処理を終了する（ＥＮＤ）。
【００５０】
他方、図５に示すように、携帯端末３の制御装置３０は、二次元コードＱＲを表示させるための情報ＱＲｉを受信するまで待機する（ステップＳ３１においてＮＯ）。
【００５１】
携帯端末３の制御装置３０は、管理サーバ２から情報ＱＲｉを受信すると（ステップＳ３１においてＹＥＳ）、その情報ＱＲｉに基づいて、表示装置３２に二次元コードＱＲを表示させる（ステップＳ３２）。
そして、携帯端末３の制御装置３０は、二次元コードＱＲの表示装置３２への表示を終えると、ロック装置１３の解錠に関する制御処理を終了する（ＥＮＤ）。
【００５２】
図３に戻り、入金機１の制御装置１０は、第１コード読取装置１５によって二次元コードＱＲを読み取るまで待機する（ステップＳ１４においてＮＯ）。
【００５３】
入金機１の制御装置１０は、第１コード読取装置１５によって二次元コードＱＲを読み取ると（ステップＳ１４においてＹＥＳ）、読み取った二次元コードＱＲと管理サーバ２から受信した第１認証コードＣＤ１とを比較する（ステップＳ１５）。
【００５４】
ステップＳ１５における比較の結果、読み取った二次元コードＱＲと第１認証コードＣＤ１との第１相互認証がなされない場合（ステップＳ１５においてＮＯ）、入金機１の制御装置１０による解錠に関する制御処理を終了する（ＥＮＤ）。
【００５５】
ステップＳ１５における比較の結果、読み取った二次元コードＱＲと第１認証コードＣＤ１との第１相互認証がなされた場合（ステップＳ１５においてＹＥＳ）、ロック装置１３を制御して、金庫扉１７Ａを解錠状態にする（ステップＳ１６）。
【００５６】
続いて、入金機１の制御装置１０は、第１相互認証がなされ、金庫扉１７Ａが解錠されたことを示す情報である第１相互認証情報ＭＡ１ｉを、管理サーバ２に送信する（ステップＳ１７）。
【００５７】
また、入金機１の制御装置１０は、適宜、近距離無線通信装置１９を制御して、携帯端末３との近距離無線通信を可能にする（ステップＳ１８）。なお、近距離無線通信装置１９は、所定時間が経過した後に自動的に停止するようにしてもよい。
入金機１の制御装置１０は、近距離無線通信装置１９の制御を終えると、ロック装置１３の解錠に関する制御処理を終了する（ＥＮＤ）。
【００５８】
なお、上記では、入金機１の制御装置１０による解錠に関する制御処理手順を説明したが、入金機１の制御装置１０による施錠に関する制御処理手順も、同様である。
【００５９】
（運搬庫４への貨幣収納箱１１のセットに関する制御処理手順）
次に、図６を用いて、運搬庫４への貨幣収納箱１１のセットに関する制御処理手順を説明する。
図６は、本実施形態に係る運搬庫４への貨幣収納箱１１のセットに関する制御処理手順を示すフローチャートである。
【００６０】
図６に示すように、運搬庫４の制御装置４０は、運搬庫４に入金機１から回収された貨幣収納箱１１がセットされるまで待機する（ステップＳ４１においてＮＯ）。
【００６１】
運搬庫４に入金機１から回収された貨幣収納箱１１がセットされると（ステップＳ４１）、例えば、貨幣収納箱１１の存在を運搬庫４に設けられたセンサ（不図示）が検知すると、制御装置４０は、箱固有コード読取装置４２を起動する（ステップＳ４２においてＹＥＳ）。
【００６２】
続いて、制御装置４０は、箱固有コード読取装置４２によって貨幣収納箱１１に付された箱固有コードＢＣが読み取られるまで待機する（ステップＳ４３においてＮＯ）。
【００６３】
制御装置４０は、箱固有コード読取装置４２によって貨幣収納箱１１に付された箱固有コードＢＣが読み取られると（ステップＳ４３においてＹＥＳ）、第３相互認証がなされ、回収された貨幣収納箱１１が運搬庫４にセットされたことを示す情報である第３相互認証情報ＭＡ３ｉを管理サーバ２に送信する（ステップＳ４４）。
運搬庫４の制御装置４０は、第３相互認証情報ＭＡ３ｉの送信を終えると、運搬庫４への貨幣収納箱１１のセットに関する制御処理を終了する（ＥＮＤ）。
【００６４】
（管理サーバ２による報知に関する制御処理手順）
次に、図７を用いて、管理サーバ２による報知に関する制御処理手順を説明する。
図７は、本実施形態に係る管理サーバ２の制御装置２０による報知に関する制御処理手順を示すフローチャートである。
【００６５】
図７に示すように、管理サーバ２の制御装置２０は、入金機１から第１相互認証情報ＭＡ１ｉを受信するまで待機する（ステップＳ２０１においてＮＯ）。
【００６６】
管理サーバ２の制御装置２０は、入金機１から第１相互認証情報ＭＡ１ｉを受信すると（ステップＳ２０１においてＹＥＳ）、第１相互認証情報ＭＡ１ｉを受信した時点からの経過時間ｔを計測するタイマを起動する（ステップＳ２０２）。
【００６７】
続いて、管理サーバ２の制御装置２０は、運搬庫４から第３相互認証情報ＭＡ３ｉを受信するまで待機する（ステップＳ２０３）。
【００６８】
管理サーバ２の制御装置２０は、運搬庫４から第３相互認証情報ＭＡ３ｉを受信すると（ステップＳ２０３においてＹＥＳ）、制御処理を終了する（ＥＮＤ）。なお、この際、回収した貨幣収納箱１１が閾時間ｔｔｈ内に運搬庫４にセットされたことを示す情報を、入金機１、管理サーバ２、携帯端末３又は運搬庫４において表示、記録又は報知してもよい。
【００６９】
管理サーバ２の制御装置２０は、運搬庫４から第３相互認証情報ＭＡ３ｉを受信しない場合（ステップＳ２０３においてＮＯ）、タイマの経過時間ｔが閾時間ｔｔｈを超えているかどうかを判定する（ステップＳ２０４）。
【００７０】
ここで、管理サーバ２の制御装置２０は、タイマの経過時間ｔが閾時間ｔｔｈを超えていない場合（ステップＳ２０４においてＮＯ）、運搬庫４から第３相互認証情報ＭＡ３ｉを受信するまで待機する（ステップＳ２０３に戻る）。
【００７１】
一方、管理サーバ２の制御装置２０は、タイマの経過時間ｔが閾時間ｔｔｈを超える場合（ステップＳ２０４においてＹＥＳ）、回収した貨幣収納箱１１が閾時間ｔｔｈ内に運搬庫４にセットされないことを示す情報を、入金機１、管理サーバ２、携帯端末３又は運搬庫４において表示、記録又は報知する（ステップＳ２０５）。
【００７２】
管理サーバ２の制御装置２０は、報知を終了すると、制御処理を終了する（ＥＮＤ）。
【００７３】
（入金機１への貨幣収納箱１１のセットに関する制御処理手順）
次に、図８を用いて、入金機１への貨幣収納箱１１のセットに関する制御処理手順を説明する。
図８は、本実施形態に係る入金機１への貨幣収納箱１１のセットに関する制御処理手順を示すフローチャートである。
図８に示すように、入金機１の制御装置１０は、入金機１に貨幣収納箱１１が収容されてセットされるまで待機する（ステップＳ１０１においてＮＯ）。
【００７４】
入金機１に貨幣収納箱１１が収容されてセットされると（ステップＳ１０１においてＹＥＳ）、例えば、貨幣収納箱１１の存在を入金機１に設けられたセンサ（不図示）が検知すると、制御装置１０は、第２コード読取装置１００を起動する（ステップＳ１０２）。
【００７５】
続いて、制御装置１０は、第２コード読取装置１００によって貨幣収納箱１１に付された箱固有コードＢＣが読み取られるまで待機する（ステップＳ１０３においてＮＯ）。
【００７６】
制御装置４０は、第２コード読取装置１００によって貨幣収納箱１１に付された箱固有コードＢＣが読み取られると（ステップＳ１０３においてＹＥＳ）、貨幣収納箱１１が入金機１にセットされたことを示す情報である箱固有コードＢＣを管理サーバ２に送信する（ステップＳ１０４）。
入金機１の制御装置１０は、箱固有コードＢＣの送信を終えると、入金機１への貨幣収納箱１１のセットに関する制御処理を終了する（ＥＮＤ）。
【００７７】
（入金機管理システム４００の使用方法）
次に、ユーザが入金機管理システム４００を利用する際の入金機管理システム４００の使用方法について説明する。
【００７８】
ユーザが、貨幣収納箱１１の回収権限者である、例えば、警送会社から派遣された回収員であり、その回収員が入金機１から貨幣収納箱１１を回収しようとする場合を想定する。
（Ａ１）回収員は、まず、トリガボタンＴｒを押下する。すると、第１コード読取装置１５が二次元コードＱＲの読み取りを開始する。
（Ａ２）次に、回収員は、携帯端末３の表示装置３２に、二次元コードＱＲを表示させるための情報ＱＲｉに基づいて生成された二次元コードＱＲ（例えば、ＱＲコード）を表示させた状態で、表示装置３２を第１コード読取装置１５に向けて、二次元コードＱＲを第１コード読取装置１５に読み取らせる。
（Ａ３）すると、ロック装置１３が制御されて金庫扉１７Ａが解錠されるので、回収員は、金庫扉１７Ａを開けて、入金機１から貨幣収納箱１１を取り出す。
（Ａ４）ここで、回収員は、入金機１から貨幣収納箱１１を取り出した後、箱固有コードＢＣが付された新たな貨幣収納箱１１を入金機１に収容する。
（Ａ５）回収員は、新たな貨幣収納箱１１を入金機１に収容した後、トリガボタンＴｒを押下する。すると、第１コード読取装置１５が二次元コードＱＲの読み取りを開始する。
（Ａ６）ここで、回収員は、金庫扉１７Ａを解錠したときと同様に、携帯端末３の表示装置３２に、二次元コードＱＲ（例えば、ＱＲコード）を表示させた状態で、表示装置３２を第１コード読取装置１５に向けて、二次元コードＱＲを第１コード読取装置１５に読み取らせる。
（Ａ７）すると、ロック装置１３が制御されて金庫扉１７Ａが施錠される。
（Ａ８）ところで、回収員は、回収した貨幣収納箱１１を運搬庫４に搬入してセットする。
（Ａ９）すると、運搬庫４に設けられたセンサが貨幣収納箱１１を検知し、運搬庫４は、貨幣収納箱１１に付された箱固有コードＢＣを管理サーバ２に送信する。そして、適宜、管理サーバ２から、回収した貨幣収納箱１１が閾時間内に運搬庫４にセットされたことがわかる情報が、例えば、管理サーバ２の管理者、携帯端末３及び運搬庫４に、報知される。したがって、回収員は、回収した貨幣収納箱１１を、閾時間内に運搬庫４にセットしたことを認識できる。
このようにして、回収権限のある回収員は、入金機１の貨幣収納箱１１を回収できる。また、管理サーバ２の管理者は、回収員が貨幣収納箱１１を回収したことを確実に認識できる。
【００７９】
したがって、回収員等のユーザは、トリガボタンＴｒを押した後、二次元コードＱＲを入金機１の前でかざすことによって、物理キーを使用することなく、金庫扉１７Ａを解錠できる。よって、シンプルな操作で金庫扉１７Ａを解錠でき、物理キーの管理が不要となり、高いセキュリティを確保できる。
また、入金機１に、テンキー、タッチパネル等の入力インターフェースを設ける必要がなくなり、入金機１をシンプルな構造にできる。
また、少なくとも、金庫扉１７Ａの解錠及び施錠に関する第１相互認証情報ＭＡ１ｉ及び、貨幣収納箱１１が運搬庫４にセットされたことを示す第３相互認証情報ＭＡ３ｉが、管理サーバ２に送信され、管理サーバ２において記録される。これにより、管理サーバ２の管理者は、その記録から入金機管理システム４００の履歴及び貨幣収納箱１１の状態を確認できる。
また、金庫扉１７Ａが解錠されてから、回収された貨幣収納箱１１が運搬庫４にセットされるまでの経過時間ｔが閾時間ｔｔｈを超えた場合、例えば、金庫扉１７Ａが解錠されてから何らかのトラブルがあった場合等、管理サーバ２から自動的に、管理サーバ２の管理者等に報知するようになっている。
よって、シンプルに操作でき、高いセキュリティを確保できる入金機管理システム４００を提供できる。
そして、本実施形態に係る入金機管理システム４００によれば、特定のロケーションに設置された特定の入金機１から、何れの特定の貨幣収納箱１１が取り出されて回収されたかを監視でき、また、特定の入金機１へ新たにセットされた貨幣収納箱１１が何れの特定の貨幣収納箱１１であるかを、管理サーバ２によって集中して管理できる。よって、高いセキュリティを確保できる。
【００８０】
以上、本発明の好ましい実施形態について詳述したが、本発明に係る入金機管理システム４００は上述した実施形態に限定されるものではなく、特許請求の範囲に記載された本発明の要旨の範囲内において、種々の変形、変化が可能である。
【００８１】
本発明の入金機管理システム４００によれば、貨幣収納部Ｓを有する入金機１と、入金機１にネットワークＮＥＴを介して接続された管理サーバ２と、管理サーバ２にネットワークＮＥＴを介して接続された携帯端末３とを備えており、入金機１は、二次元コードＱＲを読み取り可能な第１コード読取装置１５を有し、携帯端末３は、表示装置３２を有し、管理サーバ２は、ユーザからの解錠指示を受け付けると、解錠指示毎に、表示装置３２に対して二次元コードＱＲを表示させるための情報ＱＲｉを携帯端末３に送信し、同時に、第１認証コードＣＤ１を入金機１に送信し、入金機１は、第１コード読取装置１５から読み取られた二次元コードＱＲと、第１認証コードＣＤ１との第１相互認証ができた場合、貨幣収納部Ｓを解錠状態にする制御装置１０を有するので、シンプルに操作でき、高いセキュリティを確保できる。
【符号の説明】
【００８２】
１      入金機
２      管理サーバ
３      携帯端末
４      運搬庫
１０    入金機の制御装置
１１    貨幣収納箱
１２    入金装置
１３    ロック装置
１４    出力装置
１５    第１コード読取装置
１６    記憶装置
１７Ａ  金庫扉
１７Ｂ  メンテナンス扉
１８    入金機通信装置
１９    近距離無線通信装置
２０    管理サーバの制御装置
２１    管理サーバ通信装置
３０    携帯端末の制御装置
３１    携帯端末通信装置
３２    表示装置
４０    運搬庫の制御装置
４１    運搬庫通信装置
４２    箱固有コード読取装置
１００  第２コード読取装置
１１０  第２コード読取制御部
１１２  入金制御部
１１３  ロック制御部
１１４  出力制御部
１１５  第１コード読取制御部
１１６  記憶部
１１８  入金機通信部
１１９  近距離無線通信部
２２１  管理サーバ通信制御部
３３１  携帯端末通信制御部
３３２  携帯端末の表示制御部
４００  入金機管理システム
４４１  運搬庫通信制御部
４４２  運搬庫の表示制御部
ＢＣ    箱固有コード
ＣＤ    認証コード
ＣＤ１  第１認証コード
ＣＤ２  第２認証コード
ＣＤ３  第３認証コード
ＣＤ４  第４認証コード
ＭＡ１ｉ  第１相互認証情報
ＭＡ２ｉ  第２相互認証情報
ＭＡ３ｉ  第３相互認証情報
ＭＡ４ｉ  第４相互認証情報
ＮＥＴ    ネットワーク
ＱＲ      二次元コード
ＱＲｉ    二次元コードを表示させるための情報
Ｓ        貨幣収納部
ｔ        経過時間
ｔｔｈ    閾時間
Ｔｒ      トリガボタン
ＵＩＤ    ユーザ情報
【図１】
2019215653.tif 000003
【図２】
2019215653.tif 000004
【図３】
2019215653.tif 000005
【図４】
2019215653.tif 000006
【図５】
2019215653.tif 000007
【図６】
2019215653.tif 000008
【図７】
2019215653.tif 000009
【図８】
2019215653.tif 000010